(57)【特許請求の範囲】
【請求項１】
電子ユニットを備えた対話型哺乳瓶であって、
前記電子ユニットが、
赤ちゃんにミルクを与える人の心拍を感知するように構成されたセンサユニットと、
感知された心拍を赤ちゃんに伝えるように構成されたアクチュエータユニットとを有し、
前記アクチュエータユニットは、人の前記感知された心拍を赤ちゃんにリアルタイムに伝えるように構成され、
前記センサユニットは、
指、手の一部、耳又は他の身体部位のプレスチモグラムＰＰＧ、
ＳＰＯ２センサ、
ＥＣＧ信号を測定する電極、
非ガルバニック容量性電極、
マイクロホンを備えた音響センサ、及び、
任意の他の心拍センサ
のうち１つを有し、
前記アクチュエータユニットは、
前記感知された心拍の触感を作り出すように構成された複数の振動要素であって前記感知された心拍を乳首を介して赤ちゃんに伝えるために当該対話型哺乳瓶に適切に配置されるか又は前記乳首に一体化される前記複数の振動要素、及び、
当該対話型哺乳瓶に配置され、前記感知された心拍のリアルタイム聴覚フィードバックを赤ちゃんに供給するように構成された１又はそれ以上のスピーカ
のうち１つを有し、
当該対話型哺乳瓶は、
ワイヤレス再充電可能バッテリと、
赤ちゃんにミルクを与える人の生理的状態を示すように構成されたインジケータとを更に有する、対話型哺乳瓶。
【請求項２】
電子ユニットを備えた対話型哺乳瓶であって、
前記電子ユニットが、
赤ちゃんにミルクを与える人の心拍を感知するように構成されたセンサユニットと、
感知された心拍を赤ちゃんに伝えるように構成されたアクチュエータユニットとを有し、
当該対話型哺乳瓶は、赤ちゃんにミルクを与える人の生理的状態を示すように構成されたインジケータを更に有する、対話型哺乳瓶。
【請求項３】
前記感知された心拍を格納するように構成されたメモリユニットと、
前記感知された心拍を予め決められた時間期間だけ時間遅延させ、前記感知された心拍を赤ちゃんに伝えるように構成された遅延ユニットとを更に有する、請求項２に記載の対話型哺乳瓶。
【請求項４】
前記センサユニットは、赤ちゃんにミルクを与える人の少なくとも１つの身体パラメータを感知するように構成され、前記少なくとも１つの身体パラメータは、呼吸数、身体の動き、体温、聴感、触感及び嗅感のうち１つであり、
前記アクチュエータユニットは、感知された身体パラメータを赤ちゃんに伝えるように構成される、請求項１又は請求項２に記載の対話型哺乳瓶。
【請求項５】
前記呼吸数を感知するように構成された前記センサユニットは、
赤ちゃんにミルクを与える人の胸部又は腹部に配置された動きセンサ、
赤ちゃんにミルクを与える人の胸部又は腹部に配置され体積変化を測定するように構成されたストレッチセンサ、
心弾動計、及び、
心音計
のうち１つを有する、請求項４に記載の対話型哺乳瓶。
【請求項６】
前記電子ユニットは、当該対話型哺乳瓶に一体化される、請求項１又は請求項２に記載の対話型哺乳瓶。
【請求項７】
前記電子ユニットは、対話型哺乳瓶カバーモジュールに一体化される、請求項１又は請求項２に記載の対話型哺乳瓶。
【請求項８】
前記センサユニットは、ポータブルであり、前記センサユニットは、前記センサユニットを持ち運ぶ人の心拍を感知し、感知した心拍を前記アクチュエータユニットに送るように構成され、
前記アクチュエータユニットは、赤ちゃんが他の人によってミルクを与えられている間、前記感知された心拍を赤ちゃんに伝えるように構成される、請求項１又は請求項２に記載の対話型哺乳瓶。
【請求項９】
前記センサユニットは、赤ちゃんがミルクを与えられている間、赤ちゃんの少なくとも１つの身体パラメータを感知するように構成され、前記赤ちゃんの少なくとも１つの身体パラメータは、心拍数、呼吸数、体温、聴感、触感及び嗅感であり、
前記アクチュエータユニットは、赤ちゃんの感知した身体パラメータを、赤ちゃんにミルクを与える人に伝えるように構成され、
インジケータが、赤ちゃんの生理的状態を、赤ちゃんにミルクを与える人に示すように構成される、請求項１又は請求項２に記載の対話型哺乳瓶。
【請求項１０】
プレチスモグラフ、電極又はＥＣＧが、乳首に配置され、赤ちゃんの唇を介して赤ちゃんの心拍を感知するように構成される、請求項９に記載の対話型哺乳瓶。
【発明の詳細な説明】
【技術分野】
【０００１】
本主題は、哺乳瓶に関し、より詳細には、赤ちゃんにミルクを与える人との連帯感を赤ちゃんが体験することを可能にする対話型（interactive）哺乳瓶に関する。
【背景技術】
【０００２】
米国特許公開第２００６／００６１９８５号明細書は、哺乳瓶に取り付ける電子ユニットを有し、電子ユニットが光及び音の双方を放射するように構成される哺乳瓶を開示している。マイクロホンが電子ユニット内に設けられる。マイクロホンを用いて、ユーザは、後の再生のために音をメモリユニットに記録することができる。記録された音は、赤ちゃんを安心させ、心地良い体験を与えるために、必要な場合に再生され得る。
【０００３】
米国特許公開第２００６／００６１９８５号明細書に開示された哺乳瓶は、赤ちゃんだけを快適にすることができる。斯様な哺乳瓶からミルクを飲んでいる間、赤ちゃんは、赤ちゃんにミルクを与える人とのつながりを体験しない場合があり、それ故、ドリンクプロセスを促進することが困難な場合がある。
【０００４】
それ故、赤ちゃんとその赤ちゃんにミルクを与える人との間のつながりの体験を作り出すことができ、これによりドリンクプロセスを促進させる、改良された哺乳瓶をもつことが有利であるだろう。
【発明の概要】
【発明が解決しようとする課題】
【０００５】
従って、本主題は、好ましくは、１又はそれ以上の前述した欠点を一つずつ又は組み合わせて軽減、緩和又は除去しようとする。特に、赤ちゃんとその赤ちゃんにミルクを与える人との間のつながりの体験を作り出すことができる哺乳瓶を提供することが本主題の目的として理解され得る。
【課題を解決するための手段】
【０００６】
この目的及び幾つかの目的は、電子ユニットを備えた対話型哺乳瓶であって、前記電子ユニットが、赤ちゃんにミルクを与える人の心拍を感知するように構成されたセンサユニットと、感知された心拍を赤ちゃんに伝えるように構成されたアクチュエータユニットとを有する、対話型哺乳瓶を提供することにより、本主題の第１の態様において得られる。
【０００７】
センサユニットは、赤ちゃんにミルクを与える人（例えば母親）の心拍を感知することができる。アクチュエータユニットは、感知された心拍の赤ちゃんへの通信、出力又は転送を可能にする。感知された心拍の赤ちゃんへのフィードバックにより、赤ちゃんは、赤ちゃんにミルクを与える人（例えば母親）に、より結び付けられるように感じる。
【０００８】
母乳を与えるときには、彼女らは、赤ちゃんとの密接な接触を作り出して維持する。母乳を与えている間、母親は、赤ちゃんとのアイコンタクト及び皮膚の接触を自動的にもつ。同時に、赤ちゃんは、母親の心拍、呼吸及び聞き慣れた心地良い声を聞く。心拍音は、特に、妊娠の間に赤ちゃんが識別する、母親の同一心拍であるときに、幼児に対して心を落ち着かせる（calming, soothing）効果を作り出すことが知られている。
【０００９】
幼児は、自分の母親の心拍を認識する。この音は、母親が抱っこ及び抱きしめるのに次いで、ストレスを受けた赤ちゃんに大きな安らぎを与える。それ故、真の母親の心拍音は、赤ちゃんの心を落ち着かせる非常に効果的な手法になる。
【００１０】
開示された対話型哺乳瓶は、赤ちゃんとその赤ちゃんにミルクを与える人（例えば母親）との間のつながりの体験を作り出し、これにより母乳を与える行為に近づくので、ドリンクプロセスを促進させ得る。更に、赤ちゃんは、ミルクを与える人との連帯感により落ち着かされる。開示された対話型哺乳瓶は、赤ちゃんとその赤ちゃんにミルクを与える人（例えば母親）との間の心地良いインタラクションを提供することができる。
【００１１】
一実施形態において、アクチュエータユニットは、人（例えば母親）の感知された心拍を赤ちゃんにリアルタイムに伝えるように構成される。ミルクを与える人（例えば母親）により赤ちゃんの気分の状態にまさに影響を与えるために、赤ちゃんは、赤ちゃんにミルクを与える人（例えば母親）の実際の心拍に対する直接的なフィードバックを得ることを必要とする。開示された哺乳瓶は、対話型であり、実際の心拍に対する赤ちゃんへのリアルタイムフィードバックを与える電子ユニットを備える。赤ちゃんは、母親の心拍を感じるか又は聞くことができ、それ故、連帯感を体験することができる。更に、開示された対話型哺乳瓶は、リアルタイムの心地良い体験を提供することができる。
【００１２】
感知された心拍は、赤ちゃんにリアルタイムにフィードバックされる。リアルタイムなフィードバックは、赤ちゃんとその赤ちゃんにミルクを与える人（例えば母親）との間の高いレベルの結び付きを作り出すことができる。これは、ドリンクプロセスを促進させることができる。
【００１３】
他の実施形態において、センサユニットは、指、手の一部、耳又は他の身体部位の（フォト）プレスチモグラム（plethysmogram）ＰＰＧ、ＳＰＯ２センサ、ＥＣＧ信号を測定する電極、非ガルバニック容量性電極、マイクロホンを備えた音響センサ、及び、任意の他の心拍センサのうち１つを有する。これは、開示された対話型哺乳瓶が使い易いという利点を有する。センサが哺乳瓶上で利用されるので、如何なる追加のデバイスも取り付ける必要がない。更に、ミルクを与える人（例えば母親）は、通常の態様で赤ちゃんにミルクを与えることができ、ミルク供給（bottle feeding）プロセスを変える必要がない。
【００１４】
更に他の実施形態において、アクチュエータユニットは、感知された心拍の触感を作り出すように構成された複数の振動要素であって感知された心拍を乳首を介して赤ちゃんに伝えるために対話型哺乳瓶に適切に配置された振動要素又は乳首に一体化された振動要素、及び、対話型哺乳瓶に配置され、感知された心拍のリアルタイム聴覚フィードバックを赤ちゃんに供給するように構成された１又はそれ以上のスピーカのうち１つを有する。
【００１５】
母親が母乳を与える間、赤ちゃんは、その母親の心拍、呼吸及び聞き慣れた心地良い声を聞く。振動要素を乳首に一体化させることで、心拍の触感を作り出すことができる。乳首は、口が胸部の近くにある場所で母乳を与える場合に当たるように、赤ちゃんの口の近くにある。乳首からの感知された心拍は、赤ちゃんミルクを与える人（例えば母親）に対する連帯感を作り出すのにより効果的である。
【００１６】
更に他の実施形態において、対話型哺乳瓶は、感知された心拍を格納するように構成されたメモリユニットと、感知された心拍を予め決められた時間期間だけ時間遅延させ、感知された心拍を赤ちゃんに伝えるように構成された遅延ユニットとを有する。これは、ミルクを与える人（例えば母親）の心拍を或る時間遅延を伴って赤ちゃんに伝えるように対話型哺乳瓶が設計されるのを可能にする。メモリユニットは、以前の時間期間からの心拍信号を格納することができる。赤ちゃんにミルクを与える人（例えば母親）がパニック、ストレスを感じる又は取り乱すようになる場合において、不所望な信号が生成され得る。これらの不所望な信号を赤ちゃんに送る必要はない。電子ユニットは、メモリユニットに格納された、以前の時間期間からのよりリラックスした心拍信号を繰り返すことができる。
【００１７】
更に他の実施形態において、センサユニットは、赤ちゃんにミルクを与える人の少なくとも１つの身体パラメータを感知するように構成され、前記少なくとも１つの身体パラメータは、心拍数、身体の動き、体温、聴感、触感及び嗅感のうち１つである。アクチュエータユニットは、更に、感知された身体パラメータを赤ちゃんに伝えるように構成される。
【００１８】
母乳を与えている間、赤ちゃんは、母親の心拍又は呼吸の音を感じるか又は聞くことができる。更に、赤ちゃんは、体温、嗅覚及び触覚に関連する知覚信号（例えば匂い）を感知することもでき、これは、心地良く快適な体験を赤ちゃんに与えることができる。開示された対話型哺乳瓶は、赤ちゃんにミルクを与える人（例えば母親）の体温、嗅覚、触覚に関連する知覚信号を感知するためのセンサを備えてもよい。アクチュエータは、感知された知覚信号を赤ちゃんに伝えることができ、これにより、赤ちゃんとその赤ちゃんにミルクを与える人（例えば母親）との間の結び付きを強化する。更に、これは、ドリンクプロセスを促進させることや、自然な感覚を作り出すこともできる。自然な感覚は、赤ちゃんが、物理的及び精神的に、赤ちゃんにミルクを与える人（例えば母親）に密接に結び付けられることをもたらす。
【００１９】
幾つかの実施形態において、呼吸を感知するように構成されたセンサユニットは、赤ちゃんにミルクを与える人の胸部又は腹部に配置された動きセンサ、赤ちゃんにミルクを与える人の胸部又は腹部に配置され体積変化を測定するように構成されたストレッチセンサ、心弾動計（ballistocardiogram）、及び、心音計（phonocardiogram）のうち１つを有する。
【００２０】
心音計は、マイクロホンでの心拍測定である（例えば、マイクロホンを備えた聴診器）。心弾動計は、（動脈弓インパルスに対して振動する）身体全体の動きを測定することによる心拍の測定である。この原理は、論文"An EMFi-film sensor based ballistocardiographic chair performance and cycle extraction method", Junnila, S et.al, IEEE Workshop on Signal Processing Systems Design and Implementation, 2005, Volume, issue 2 - 4, pp. 373-377, Nov 2005に開示されている。
【００２１】
更に他の実施形態において、対話型哺乳瓶は、ワイヤレス再充電可能バッテリを有する。バッテリをワイヤレスに充電することは、良好な携帯性、低コスト、充電器を運ぶ必要がない等の幾つかの利点をもつ。センサ及びアクチュエータユニットに電力を供給するために１又はそれ以上のバッテリを設けることも可能である。全ての部品が単一のバッテリから電力供給されてもよく、又は、１若しくはそれ以上の別個の部品に電力供給するために異なるバッテリが含まれてもよい。
【００２２】
更に他の実施形態において、電子ユニットは、対話型哺乳瓶に一体化される。電子ユニットのボトルへの一体化は、対話型哺乳瓶を、持ち運び及び使用するのに便利な単一の装置にする。対話型哺乳瓶上の任意の便利な位置に電子ユニットを配置することも可能である。この目的を達成するために、電子ユニットは、様々な位置に取り付けられることを可能にする構造体を備え得る。説明に役立つ実例として、電子ユニットは、対話型哺乳瓶にねじ留めされ得る（又はベルクロ材料を用いて取り付けられ得る）。斯様な場合において、対話型哺乳瓶との通信のためにワイヤレスインタフェースが必要とされる。
【００２３】
更に他の実施形態において、電子ユニットは、対話型哺乳瓶カバーモジュールに一体化される。この実施形態は、電子ユニットをカバーモジュールから除去した後に対話型哺乳瓶の容易な洗浄を可能にする。
【００２４】
更に他の実施形態において、対話型哺乳瓶は、赤ちゃんにミルクを与える人（例えば母親）の生理的状態を示すように構成されたインジケータを有する。赤ちゃんにミルクを与える人の心拍数、呼吸数又はリラックス状態を示し得る小さなディスプレイユニット又は１若しくはそれ以上の照明要素があってもよい。説明に役立つ実例として、生理的状態は、ドリンクプロセスにおいて赤ちゃんの手助けをするために、（例えばまさにリラックスＴＶ（relax TV）のような）より理解し易い状態になるために、赤ちゃんにミルクを与える人への呼吸ガイダンス（breathing guidance）を提供することができる。
【００２５】
更に他の実施形態において、電子ユニットは、ポータブルであり、センサユニットは、電子ユニットを持ち運ぶ人の心拍を感知するように構成され、アクチュエータユニットは、赤ちゃんが他の人によってミルクを与えられている間、感知された心拍を赤ちゃんに遠隔伝えるように構成される。これは、赤ちゃんと母親との間の遠隔の結び付きを可能にする。赤ちゃんは、妊娠期間からの母親の同一心拍を認識するので、落ち着くことができる。更に、開示された対話型哺乳瓶は、母親がミルクを与えている間に赤ちゃんとの結び付きを強くすることができる。また、これは、父親若しくは祖父母又は任意の赤ちゃんに対するミルク供給者に、ミルクを与えている間に赤ちゃんと感情的に近くなる機会を与える。ここで、本思想は、母親が物理的に存在しなかったとしても、快適な聞き慣れた心拍を聞くことに基づいて、赤ちゃんに彼／彼女の母親が存在することを信じさせることにある。
【００２６】
更に他の実施形態において、センサユニットは、更に、赤ちゃんがミルクを与えられている間、赤ちゃんの少なくとも１つの身体パラメータを感知するように構成され、赤ちゃんの少なくとも１つの身体パラメータは、心拍数、呼吸数、体温、聴感、触感及び嗅感である。アクチュエータユニットは、更に、赤ちゃんの感知した身体知覚信号を、赤ちゃんにミルクを与える人（例えば母親）に伝えるように構成される。インジケータは、赤ちゃんの生理的状態を、赤ちゃんにミルクを与える人に示すように構成される。これは、赤ちゃんに対して心地良く快適な体験を与えるために、赤ちゃんの示された生理的状態に基づいて、赤ちゃんにミルクを与える人（例えば母親）が心拍数、触感のような赤ちゃんの身体パラメータを適切に調節することができるという利点をもつ。これは、ドリンクプロセスを促進させることができる。
【００２７】
一実施形態において、プレチスモグラフ（plethysmograph）、電極又はＥＣＧが、乳首に配置され、赤ちゃんの唇を介して赤ちゃんの心拍を感知するように構成される。
【００２８】
これら並びに他の態様、特徴及び利点は、添付図面を参照して、単なる例により、以下の説明により更に説明されるだろう。添付図面において、同一の参照符号は同一又は類似の部分を示している。
【図面の簡単な説明】
【００２９】
【図１】本主題の一実施形態の例となる対話型哺乳瓶を概略的に示す。
【図２】本主題の一実施形態の赤ちゃんにミルクを与える人の心拍を感知するように構成されたセンサユニットを概略的に示す。
【図３】本主題の一実施形態の感知された心拍を赤ちゃんに伝えるように構成されたアクチュエータユニットを概略的に示す。
【図４】対話型哺乳瓶の他の実施形態を概略的に示す。
【図５】対話型哺乳瓶の更に他の実施形態を概略的に示す。
【図６】電子ユニットがポータブルである、対話型哺乳瓶の更に他の実施形態を概略的に示す。
【発明を実施するための形態】
【００３０】
図１によれば、対話型哺乳瓶は、参照符号１０００で示される。対話型哺乳瓶１０００は、
ｉ．ボトル部分１２００
ｉｉ．キャビティ１４００
ｉｉｉ．外面にねじ山が付けられた円柱状口端部１６００
ｉｖ．内側にねじ山が付けられた乳首リング１８００
ｖ．乳首１１００
を有する。ボトル部分１２００は、一端で閉じられ、他端（即ち、口端部）で開口される長尺チューブである。キャビティ１４００は、流体を保持するように設計され、ミルク、粉ミルク、穀物製品、水、ジュース及び同種のものを含み得る。円柱状口端部１６００は、流体がキャビティ１４００の中及び外へ流れるのを可能にする。内側にねじ山が付けられた乳首リング１８００は、底部分１２００の口端部の上に乳首を固定するために、外側にねじ山が付けられた円柱上口端部１６００と係合する。ここで、外側にねじ山が付けられた口端部及び内側にねじ山が付けられた乳首リングは、説明の目的のためにここで述べられることに留意されたい。デバイス上の爪のような他の方法を用いて口端部上に乳首リングを固定することが可能であるので、口端部は、外側にねじ山が付けられることを必ずしも必要としない。乳首は、一般に、シリコンゴムから作られ、キャビティ１４００に含まれた流体が乳首を介して赤ちゃんの口に流れるのを可能にする開口部を含む。それ故、キャビティ１４００に含まれた流体は、ボトル部分の口端部を介して自由に流れるよりむしろ、制限された態様で乳首を介して流れる。
【００３１】
対話型哺乳瓶は電子ユニット１５００を有する。電子ユニットは、哺乳瓶に一体化されてもよく、又は、側壁内に取り付けられてもよい。代わりに、電子ユニット１５００は、対話型哺乳瓶に任意の便利な位置にユーザにより固定され得る別個のユニットであってもよい。電子ユニット１５００は、
１．センサユニット１２０
２．アクチュエータユニット１４０
３．ワイヤレス再充電可能バッテリ１８０
を有する。
【００３２】
センサユニット１２０は、赤ちゃん１３００にミルクを与える人１６０（例えば母親）の心拍を感知するように構成されている。アクチュエータユニット１４００は、感知された心拍を赤ちゃんに伝えるように構成されている。
【００３３】
ミルクを与える人（例えば母親）により赤ちゃんの気分の状態にまさに影響を与えるために、赤ちゃん１３００は、赤ちゃんにミルクを与える人（例えば母親）の実際の心拍について、直接的フィードバックを得ることを必要とする。開示された哺乳瓶は、対話型であり、赤ちゃんにミルクを与える人（例えば母親）の実際の心拍について、赤ちゃん１３０に対してリアルタイムフィードバックを与える電子ユニットを備える。赤ちゃんは、母親の心拍を感じるか又は聞くことができ、それ故、連帯感を体験することができる。更に、開示された対話型哺乳瓶は、リアルタイムの快適で心地良い体験を提供することができる。
【００３４】
感知された心拍は、リアルタイムに赤ちゃんにフィードバックされる。このリアルタイムフィードバックは、赤ちゃんとその赤ちゃんにミルクを与える人（例えば母親）との間の高いレベルの結び付きを作り出すことができる。これは、ドリンクプロセスを促進させることができる。
【００３５】
ワイヤレス再充電可能バッテリ１８０は、センサユニット、アクチュエータユニット及び電子ユニットの他の部品を再充電するように設けられる。バッテリをワイヤレスに充電することは、良好な携帯性、低コスト、充電器を持つ運ぶ必要がない等の幾つかの利点をもつ。電子ユニットのセンサ及びアクチュエータに電力を供給するために１又はそれ以上のバッテリを設けることも可能である。全ての部品が単一のバッテリから電力供給されてもよく、又は、１又はそれ以上の別個の部品に電力供給するために異なるバッテリが含まれてもよい。
【００３６】
図２によれば、センサユニット１２０は、指、手の一部、耳又は他の身体部位の（フォト）プレスチモグラムＰＰＧ、ＳＰＯ２センサ、ＥＣＧ信号を測定する電極、非ガルバニック容量性電極、マイクロホンを備えた音響センサ、及び、任意の他の心拍センサのうち１つを有する。
【００３７】
センサユニット１２０は、呼吸センサ、身体運動センサ、体温センサ、聴覚センサ、触覚センサ又は嗅覚センサを有し得る。アクチュエータユニットは、感知された知覚信号を赤ちゃんに伝えるように適切に構成され得る。
【００３８】
呼吸を感知するために以下のうちいずれか１つを使用することも可能である；赤ちゃんにミルクを与える人（例えば母親）の胸部又は腹部に配置された動きセンサ、赤ちゃんにミルクを与える人（例えば母親）の胸部又は腹部に配置され体積変化を測定するように構成されたストレッチセンサ、心弾動計、及び、心音計。
【００３９】
心音計は、マイクロホンでの心拍測定である（例えば、マイクロホンを備えた聴診器）。心弾動計は、（動脈弓インパルスに対して振動する）身体全体の動きを測定することによる心拍の測定である。この原理は、論文"An EMFi-film sensor based ballistocardiographic chair performance and cycle extraction method", Junnila, S et.al, IEEE Workshop on Signal Processing Systems Design and Implementation, 2005, Volume, issue 2 - 4, pp. 373-377, Nov 2005に開示されている。
【００４０】
図３によれば、アクチュエータユニット１４０は、感知された心拍の触感を作り出すように構成された複数の振動要素３２０であって感知された心拍を乳首１１００を介して赤ちゃんに伝えるために対話型哺乳瓶に適切に配置されるか又は乳首１１００に一体化された振動要素３２０、及び、対話型哺乳瓶に配置され、感知された心拍のリアルタイム聴覚フィードバックを赤ちゃんに供給するように構成された１又はそれ以上のスピーカ３４０のうち１つを有する。
【００４１】
振動要素３２０を乳首１１００に一体化させることで、心拍の触感を作り出すことができる。乳首は、口が胸部の近くにある場所で母乳をやる場合に当たるように、赤ちゃんの口に近くにある。乳首からの感知された心拍は、赤ちゃんミルクを与える人（例えば母親）に対する連帯感を作り出すのにより効果的である。振動要素３２０は、例えば、ギア又はベルト及びプーリーのような機械的結合手段を介して振動部材を動作させるモータであってもよい。
【００４２】
図４によれば、電子ユニット１５００は、感知された心拍を格納するように構成されたメモリユニット４０２と、感知された心拍を予め決められた時間期間だけ時間遅延させ、感知された心拍を赤ちゃんに伝えるように構成された遅延ユニット４０６とを有する。これは、赤ちゃんにミルクを与える人（例えば母親）の心拍を或る時間遅延を伴って赤ちゃんに伝えるように対話型哺乳瓶が設計されるのを可能にする。メモリユニットは、以前の時間期間からの心拍信号を格納することができる。赤ちゃんにミルクを与える人（例えば母親）がパニック、ストレスを感じる又は取り乱すようになる場合において、不所望な信号が生成され得る。これらの不所望な信号を赤ちゃんに送る必要はない。アクチュエータユニット１４０は、メモリユニットに格納された、以前の時間期間からのよりリラックスした心拍信号を繰り返すことができる。
【００４３】
更に、電子ユニット１５００は、哺乳瓶１０００に一体化され得る。電子ユニットのボトルへの一体化は、対話型ボトルを、持ち運び及び使用するのに便利な単一の装置にする。対話型哺乳瓶上の任意の便利な位置に電子ユニットを配置することも可能である。この目的を達成するために、電子ユニットは、様々な位置に取り付けられることを可能にする構造体を備え得る。説明に役立つ実例として、電子ユニットは、対話型哺乳瓶にねじ留めされ得る（又はベルクロ材料を用いて取り付けられ得る）。斯様な場合において、対話型哺乳瓶との通信のためにワイヤレスインタフェースが必要とされる。
【００４４】
更に他の実施形態において、電子ユニットは、対話型哺乳瓶カバーモジュールに一体化される。この実施形態は、電子ユニットをカバーモジュールから除去した後に対話型哺乳瓶の容易な洗浄を可能にする。
【００４５】
図５によれば、電子ユニット１５００は、赤ちゃんにミルクを与える人（例えば母親）の生理的状態を示すように構成されたインジケータ５２０を更に有する。赤ちゃんにミルクを与える人の心拍数、呼吸数又はリラックス状態を示し得る小さなディスプレイユニット又は１若しくはそれ以上の照明要素があってもよい。説明に役立つ実例として、生理的状態は、ドリンクプロセスにおいて赤ちゃんの手助けをするために、（例えばまさにリラックスＴＶのような）より理解し易い状態になるために、赤ちゃんにミルクを与える人への呼吸ガイダンスを提供することができる。
【００４６】
図６によれば、センサユニット１２０は、ポータブルであり、人６０２により持ち運ばれ得る。センサユニット１２０は、センサユニット１２０を持ち運ぶ人６０２の心拍を感知するように構成される。感知された心拍は、アクチュエータユニット１４０に送られ得る。そして、アクチュエータユニット１４０は、感知された心拍を赤ちゃん１３００に出力し得る。これは、赤ちゃんと母親との間の遠隔の結び付きを可能にする。赤ちゃんは、妊娠期間からの母の同一心拍を認識するので、落ち着くことができる。更に、開示された対話型哺乳瓶は、母親がミルクを飲ませている間における赤ちゃんとの結び付きを強化することを可能にする。また、これは、父親若しくは祖父母又は任意の赤ちゃんに対するミルク供給者に、ミルクを飲ませている間に赤ちゃんと感情的に近くなる機会を与える。ここで、本思想は、母親が物理的に存在しなかったとしても、快適な聞き慣れた心拍を聞くことに基づいて、赤ちゃんに彼／彼女の母親が存在することを信じさせることにある。
【００４７】
幾つかの実施形態において、センサユニット１２０は、更に、赤ちゃんがミルクを飲まされている間、赤ちゃんの少なくとも１つの身体パラメータを感知するように構成され得る。赤ちゃんの少なくとも１つの身体パラメータは、心拍数、呼吸数、体温、聴感、触感及び嗅感である。アクチュエータユニット１４０は、更に、赤ちゃんの感知した身体知覚信号を、赤ちゃんにミルクを与える人（例えば母親）に伝えるように構成され得る。インジケータ５２０は、赤ちゃんの生理的状態を、赤ちゃんにミルクを与える人（例えば母親）に示すように構成され得る。これは、赤ちゃんに対して心地良く快適な体験を与えるために、赤ちゃんの示された生理的状態に基づいて、赤ちゃんにミルクを与える人（例えば母親）が心拍数、触感のような赤ちゃんの身体パラメータを適切に調節することができるという利点をもつ。これは、ドリンクプロセスを促進させることができる。
【００４８】
赤ちゃんの心拍を感知するために、プレチスモグラフ、電極又はＥＣＧが、乳首に配置され、赤ちゃんの唇を介して心拍を感知するように構成され得る。
【００４９】
一般に、哺乳瓶、身体信号を感知するためのセンサ、感知された知覚信号を伝えるためのアクチュエータを設計及び製造する従来技術は、電子ユニット１５００を哺乳瓶に組み込む方法の例を提供するために述べられ得る。更に、関連する配線、スイッチ、タイマ、コントローラは、電子ユニットに組み込まれ得る。斯様な情報は、従来において一般に知られており、ここでは詳細に記載しない。
【００５０】
要約すると、電子ユニットを備えた対話型哺乳瓶が開示されている。電子ユニットは、赤ちゃんにミルクを与える人の心拍を感知するように構成されたセンサユニットと、感知された心拍を赤ちゃんに伝えるように構成されたアクチュエータユニットとを有する。開示された対話型哺乳瓶は、ミルクの供給が、赤ちゃんとその赤ちゃんにミルクを与える人との間のつながりの体験を可能にし、これにより母乳を与える行為に近づくので、ドリンクプロセスを促進させることができる。
【００５１】
特許請求の範囲は、この出願において、特に特徴の組み合わせに定式化されたが、本主題の開示の範囲は、いずれかの請求項に記載されたものと同じ主題に関連するか否かに関わらず、及び、本主題のいずれか又は全ての同一の技術的課題を軽減するか否かに関わらず、明確に若しくは黙示的にここに開示された新規な特徴若しくはこれら特徴の任意の新規な組み合わせ又はこれらの任意の一般化を含むことが理解されるべきである。
【００５２】
更に、本主題が図面及び前述の説明において詳細に示された一方で、斯様な例示及び説明は、例示又は単なる例であり、限定するものとして考慮されるべきではない。即ち、主題は、開示された実施形態に限定されるものではない。開示された実施形態に対する他のバリエーションは、図面、開示及び特許請求の範囲の研究から、当業者により理解及び達成され得る。"有する"という用語の使用及びその活用は、請求項又は説明に記載されたもの以外の要素の存在を除外するものではない。要素又はステップの単数表記の使用は、斯様な要素又はステップの複数の存在を除外するものではない。図面及び説明は、単なる例示と見なされるべきであり、本主題を限定するものではない。請求項における如何なる参照符号も、範囲を限定するものとして考慮されるべきではない。
【図１】
0005508396.tif 000002
【図２】
0005508396.tif 000003
【図３】
0005508396.tif 000004
【図４】
0005508396.tif 000005
【図５】
0005508396.tif 000006
【図６】
0005508396.tif 000007